(57)【要約】【課題】凹凸や、不陸等のある外壁面Ｗにおいても、その平坦でない固定部位に、竪樋Ｔを外壁面Ｗに取り付けることの可能な竪樋支持具を提供する。【解決手段】竪樋Ｔを支持する支持部２と、建物の外壁面Ｗに固定される固定部１とが連結されてなる竪樋支持具であって、該固定部１の屋外側には係止部１１、１２が凸設されるとともに、該支持部２の外壁面Ｗ側には上記凸設された係止部１１、１２を受ける支承部２１、２２を設けてユニバーサルジョイント構造とする。【選択図】図１
2004143783.tif 000002
【特許請求の範囲】
【請求項１】
竪樋を支持する支持部と、建物の外壁面に固定される固定部とが連結されてなる竪樋支持具であって、該固定部の屋外側には係止部が凸設されるとともに、該支持部の外壁面側には上記凸設された係止部を受ける支承部を設けてユニバーサルジョイント構造とし、上記固定部に対して上記支持部が揺動自在に連結されてなる竪樋支持具。
【請求項２】
上記係止部が球形であるとともに、上記支承部がこの球形係止部を収容するようにされた請求項１に記載の竪樋支持具。
【請求項３】
上記係止部が半球形の両端部を有する円柱状であるとともに、上記支承部に穿設された長孔を介して、この円柱状係止部が上記支承部に遊嵌合された請求項１に記載の竪樋支持具。
【請求項４】
上記竪樋が角筒型である請求項１に記載の竪樋支持具。
【請求項５】
上記支持部および上記固定部が弾性を有する合成樹脂で構成された請求項１に記載の竪樋支持具。
【発明の詳細な説明】
【０００１】
【発明の属する技術分野】
本発明は、竪樋支持具に関する。さらに詳しくは、凹凸や、不陸等のある外壁面に竪樋を取り付けるのに、とくに有用な竪樋支持具に関する。
【０００２】
【従来の技術】
従来から、竪樋支持具、とくに、上記のように平坦でない外壁面に、竪樋を所定の、正常な位置に取り付けるための支持具については、各種、先行技術が知られている（例えば、特許文献１、特許文献２参照。）。
【０００３】
【特許文献１】
特開平１１−１０７４６９号公報（第１頁、第３図）
【特許文献２】
特開２０００−２５７２２６号公報（第１頁、第１図、第７図）
【０００４】
上記先行技術には、凹凸や、不陸等のある外壁面に取り付ける固定部と、竪樋を支持する支持部とに分割され、固定部に対して、支持部が前後に摺動自在に、あるいは、上下、左右に回動自在に連結される竪樋支持具が開示されている。
【０００５】
【発明が解決しようとする課題】
しかしながら、外装技術が進歩するにつれて、種々の表面形状を持つ外装材料が普及し、そのため、複雑な凹凸模様を持つ外壁面に対応して、竪樋を所定の位置でしっかりと支持できる支持具が求められている。本発明は、凹凸や、不陸等のある外壁面においても、その平坦でない固定部位に、しっかりと竪樋を取り付けることのできる竪樋支持具を提供することをその課題とする。
【０００６】
【課題を解決するための手段】
上記課題を解決するために、本発明においては、つぎのような技術的手段を講じている。すなわち、本発明によれば、竪樋を支持する支持部と、建物の外壁面に固定される固定部とが連結されてなる竪樋支持具であって、該固定部の屋外側には係止部を凸設するとともに、該支持部の外壁面側には上記凸設された係止部を受ける支承部を設けて、ユニバーサルジョイント構造とし、上記固定部に対して上記支持部が揺動自在に連結されてなる竪樋支持具が提供される。このように、上記固定部に対して上記支持部が、上記係止部を介してあらゆる方向に揺動自在とされているため、複雑な凹凸面のある外壁面に対応して、平坦でない固定部位に、しっかりと竪樋を取り付けることができる。
【０００７】
上記係止部が球形であるとともに、上記支承部がこの球形係止部を収容するようにされる。このようにすることにより、球形係止部と支承部とがユニバーサルジョイント構造となり、上記固定部に連結された上記支持部が上記球形係止部を介してあらゆる方向に揺動できるため、竪樋を外壁面の所定の位置にしっかりと取り付けることができる。
【０００８】
上記係止部が半球形の両端部を有する円柱状であるとともに、上記支承部に穿設された長孔を介して、この円柱状係止部が上記支承部に遊嵌合される。このようにすることにより、円柱状係止部と支承部とがユニバーサルジョイント構造となり、固定部に連結された支持部が上記円柱状係止部を介してあらゆる方向に揺動できるため、竪樋を外壁面の所定の位置にしっかりと取り付けることができる。
【０００９】
上記竪樋が角筒型であることが好ましい。本発明にかかる竪樋支持具は、平断面が略正方形、あるいは略正八角形等の角筒型の竪樋に、とくに、好適に用いられる。また、上記支持部および上記固定部が弾性を有する合成樹脂で構成されることが好ましい。たとえば、ポリカーボネート、ポリプロピレン等の弾性を有する合成樹脂で本発明の竪樋支持具を形成することにより、竪樋が弾性的に保持されるとともに、竪樋支持具に無理な外力が加わっても、弾性変位して外力を逃すことができる。
【００１０】
【発明の実施の形態】
以下、本発明にかかる竪樋支持具の好ましい実施の形態について、実施例により、さらに詳細に説明する。
【００１１】
【実施例１】
図１は、実施例１にかかる竪樋支持具を示す分解斜視図である。図１において、竪樋支持具は弾性を有する合成樹脂から形成され、建物の外壁面Ｗに固定板１３によって固定される固定部１と、竪樋Ｔを支持する支持部２とからなる。さらに、上記固定部１の屋外側には係止部として球形係止部１１が凸設され、上記支持部２の外壁面側には上記球形係止部１１を受ける支承部２１が設けられている。
【００１２】
図１からよくわかるように、球形係止部１１と支承部２１とは、ユニバーサルジョイント構造をしており、支持部２は、球形係止部１１を介して固定部１に連結されているため、あらゆる方向に揺動可能となる。したがって、固定部１が、外壁面Ｗの平坦でない固定部位に固定板１３によって固定されても、支持部２が上記のように動作し、竪樋Ｔをしっかりと支持し、所定の位置に取り付けることができる。なお、符号１４、１４は、上記固定板１３をビスＢで固定するための通孔である。
【００１３】
竪樋Ｔを支持する支持部２は、受け側部材２３と、止め側部材２４とに分割され、ヒンジ２５を介して、止め側部材２４が、受け側部材２３に回動自在に取り付けられている。受け側部材２３の一端には嵌合突起部２３１が設けられ、また、止め側部材２４の一端には、嵌合係止部２４１が設けられ、互いに嵌合可能とされている。このとき、既述したように、受け側部材２３および止め側部材２４は、弾性を有する合成樹脂から形成されているため、嵌合突起部２３１と嵌合係止部２４１とは、相互に弾性的に嵌合し、竪樋Ｔをしっかりと保持する。
【００１４】
以下、上記竪樋支持具の使用方法について図２（ａ）に示す平断面図を用いて説明する。まず、固定部１の固定板１３を外壁面ＷにビスＢでビス留めする。つぎに、受け側部材２３の嵌合突起部２３１と、止め側部材２４の嵌合係止部２４１との嵌合を解除して、止め側部材２４をヒンジ２５を中心にして開き、受け側部材２３内に竪樋Ｔを配置する。その後、嵌合突起部２３１と嵌合係止部２４１とを再び嵌合し、竪樋Ｔの取付けを終了する。このとき、固定部１の左右壁面が不陸により平坦でなくても、図２（ａ）に示すように、球形係止部１１と支承部２１とのユニバーサルジョイント構造により、支持部２が揺動して竪樋Ｔを所定の位置で安定して支持できる。また、図２（ｂ）の側面図に示すように、固定部１の上下壁面が不陸により平坦でなくても、上記と同様にして、竪樋Ｔを所定の位置で安定して支持できる。
【００１５】
【実施例２】
図３は、実施例２にかかる竪樋支持具を示す分解斜視図である。図３において、竪樋支持具は、建物の外壁面Ｗに固定板１３によって固定される固定部１と、竪樋Ｔを支持する支持部２とからなり、上記固定部１の屋外側には係止部１２として半球形の両端を持つ円柱状係止部１２が凸設され、上記支持部２の外壁面側には上記円柱状係止部１２を受ける支承部２２が設けられている。支承部２２には、長孔２２１が設けられ、この長孔２２１を介して円柱状係止部１２が支承部２２に遊嵌合し、ユニバーサルジョイント構造とされている。
【００１６】
以下、実施例２にかかる竪樋支持具の使用方法について図４（ａ）を用いて説明する。まず、固定部１の固定板１３を外壁面ＷにビスＢでビス留めする。つぎに、受け側部材２３の嵌合突起部２３１と、止め側部材２４の嵌合係止部２４１との嵌合を解除して、止め側部材２４をヒンジ２５を中心にして開き、受け側部材２３内に竪樋Ｔを配置する。その後、嵌合突起部２３１と嵌合係止部２４１とを再び嵌合し、竪樋Ｔの取付けを終了する。なお、既述したように、受け側部材２３および止め側部材２４は、弾性を有する合成樹脂から形成されているため、嵌合突起部２３１と嵌合係止部２４１とは、相互に弾性的に嵌合し、竪樋Ｔをしっかりと保持することができる。
【００１７】
このとき、図４（ａ）に示す平断面図からよくわかるように、固定部１の左右壁面が、外壁面Ｗの不陸により平坦でなくとも、上記長孔２２１に嵌合された円柱状係止部１２を中心にして、支持部２が左右に揺動して竪樋Ｔを所定の位置でしっかりと支持する。また、図４（ｂ）の側面図に示すように固定部１の上下壁面が不陸により平坦でなくても、上記長孔２２１に遊嵌合された円柱状係止部１２が、長孔２２１の長さ方向に揺動できるため、支持部２の位置を上下に揺動することも可能となる。したがって、固定部１が、外壁面Ｗの平坦でない固定部位に固定板１３によって固定されても、既述した理由で、支持部２が、上下、左右のみならず、斜め上、斜め下等、あらゆる方向に揺動して、竪樋Ｔをしっかりと支持し、所定の位置に取り付けることができる。
【００１８】
以上、本発明を実施例により詳細に説明したが、具体的構成は上記に限定されず、本発明の要旨を逸脱しない範囲で設計変更可能である。たとえば、上記実施例では支持部２の形状を平断面、略正方形の角筒型の竪樋Ｔに適用するようにしたが、適用される竪樋の平断面の形状に対応させて、適宜変更可能である。
【００１９】
【発明の効果】
以上述べたように、請求項１に記載の発明は、竪樋Ｔを支持する支持部２と、建物の外壁面Ｗに固定される固定部１とからなり、該固定部１の屋外側には係止部１１、１２が凸設されるとともに、該支持部２の外壁面Ｗ側には上記凸設された係止部１１、１２を受ける支承部２１、２２を設けてユニバーサルジョイント構造とし、上記固定部１に対して上記支持部２が揺動自在に連結されてなる竪樋支持具である。このように、上記固定部１に対して上記支承部２１、２２が、上記係止部１１、１２を介してあらゆる方向に揺動自在とされているため、複雑な凹凸面のある外壁面Ｗに対応して、平坦でない固定部位に、しっかりと竪樋Ｔを取り付けることができる。
【００２０】
請求項２に記載の発明は、上記係止部１１が球形であるとともに、上記支承部２１がこの球形係止部１１を収容するようにされる。このようにすることにより、請求項１に記載の発明の効果に加えて、球形係止部１１と支承部２１とがユニバーサルジョイント構造となり、上記固定部１に連結された上記支持部２が上記球形係止部１１を介してあらゆる方向に揺動できるため、竪樋Ｔを外壁面Ｗの所定の位置にしっかりと取り付けることができる。
【００２１】
請求項３に記載の発明は、上記係止部１２が半球形の両端部を有する円柱状であるとともに、上記支承部２２に穿設された長孔２２１を介して、この円柱状係止部１２が上記支承部２２に遊嵌合される。このようにすることにより、円柱状係止部１２と支承部２２とは、ユニバーサルジョイント構造となり、上記固定部１に連結された上記支持部２が上記円柱状係止部１２を介してあらゆる方向に揺動できるため、竪樋Ｔを外壁面Ｗの所定の位置にしっかりと取り付けることができる。
【００２２】
請求項４に記載の発明は、上記竪樋Ｔが角筒型とされる。このようにすることにより、請求項１に記載の発明の効果に加えて、平断面が略正方形、あるいは略正八角形等の角筒型の竪樋Ｔに、本発明の竪樋支持具を、とくに、好ましく適用することができる。
【００２３】
請求項５に記載の発明は、上記支持部２および上記固定部１が弾性を有する合成樹脂で構成される。たとえば、ポリカーボネート、ポリプロピレン等の弾性を有する合成樹脂で本発明の竪樋支持具を形成することにより、請求項１に記載の発明の効果に加えて、竪樋Ｔが弾性的に保持されるとともに、竪樋支持具に無理な外力が加わっても、弾性変位して外力を逃すことが可能となる。
【図面の簡単な説明】
【図１】実施例１にかかる竪樋支持具を示す分解斜視図である。
【図２】（ａ）実施例１にかかる竪樋支持具の平断面図である。
（ｂ）実施例１にかかる竪樋支持具の側面図である。
【図３】実施例２にかかる竪樋支持具を示す分解斜視図である。
【図４】（ａ）実施例２にかかる竪樋支持具の平断面図である。
（ｂ）実施例２にかかる竪樋支持具の側面図である。
【符号の説明】
１　　　固定部
１１　　球形係止部
１２　　円柱状係止部
１３　　固定板
１４　　通孔
２　　　支持部
２１　　球形係止部を受ける支承部
２２　　円柱状係止部を受ける支承部
２２１　長孔
２３　　受け側部材
２３１　嵌合突起部
２４　　止め側部材
２４１　嵌合係止部
２５　　ヒンジ
Ｂ　　　固定用ビス
Ｔ　　　竪樋
Ｗ　　　外壁面
【図１】
2004143783.tif 000003
【図２】
2004143783.tif 000004
【図３】
2004143783.tif 000005
【図４】
2004143783.tif 000006